(57)【特許請求の範囲】
【請求項１】
表面シートと裏面シートとが互いに対向するように接合された包装容器であって、
前記表面シートには、それぞれが当該表面シートの特定の縁部から他の縁部に至るように延びるとともに互いに離間する形状を有し、かつ、当該表面シートの引裂きを誘導する複数の表面引裂誘導部が形成されており、
前記裏面シートには、それぞれが当該裏面シートの特定の縁部から他の縁部に至るように延びるとともに互いに離間する形状を有し、かつ、当該裏面シートの引裂きを誘導する複数の裏面引裂誘導部が形成されており、
前記表面シートと前記裏面シートとは、各表面引裂誘導部と各裏面引裂誘導部とが各シートの厚さ方向に互いに重なり合うか、あるいは、各表面引裂誘導部間の領域と各裏面引裂誘導部とが各シートの厚さ方向に互いに重なり合うように、接合されており、
各表面引裂誘導部は、当該表面シートの中心を基準として当該表面シートの外側に向かって凸となるように湾曲する形状を有する表面外向き湾曲部を有し、
各裏面引裂誘導部は、当該裏面シートの中心を基準として当該裏面シートの外側に向かって凸となるように湾曲する形状を有する裏面外向き湾曲部を有し、
前記表面シートには、前記特定の縁部から前記他の縁部に向かうとともに前記複数の表面引裂誘導部のうち特定の表面引裂誘導部に沿った引裂きが、前記複数の表面引裂誘導部のうち前記特定の表面引裂誘導部よりも前記表面シートの中心に近い位置に形成された他の表面引裂誘導部に沿った引裂きに切り替えられるように前記特定の表面引裂誘導部と前記他の表面引裂誘導部とを連結し、かつ、当該表面シートの引裂きを誘導する少なくとも１つの表面切替誘導部が形成されており、
前記裏面シートには、前記特定の縁部から前記他の縁部に向かうとともに前記複数の裏面引裂誘導部のうち特定の裏面引裂誘導部に沿った引裂きが、前記複数の裏面引裂誘導部のうち前記特定の裏面引裂誘導部よりも前記裏面シートの中心に近い位置に形成された他の裏面引裂誘導部に沿った引裂きに切り替えられるように前記特定の裏面引裂誘導部と前記他の裏面引裂誘導部とを連結し、かつ、当該裏面シートの引裂きを誘導する少なくとも１つの裏面切替誘導部が形成されている、包装容器。
【請求項２】
請求項１に記載の包装容器において、
前記少なくとも１つの表面切替誘導部は、
前記特定の表面引裂誘導部と前記他の表面引裂誘導部とを連結する第１表面切替誘導部と、
前記特定の表面引裂誘導部のうち当該特定の表面引裂誘導部と前記第１表面切替誘導部との交点よりも前記表面シートの前記他の縁部に近い部位と、前記他の表面引裂誘導部のうち当該他の表面引裂誘導部と前記第１表面切替誘導部との交点よりも前記表面シートの前記他の縁部に近い部位と、を連結する第２表面切替誘導部と、を有し、
前記少なくとも１つの裏面切替誘導部は、
前記特定の裏面引裂誘導部と前記他の裏面引裂誘導部とを連結する第１裏面切替誘導部と、
前記特定の裏面引裂誘導部のうち当該特定の裏面引裂誘導部と前記第１裏面切替誘導部との交点よりも前記裏面シートの前記他の縁部に近い部位と、前記他の裏面引裂誘導部のうち当該他の裏面引裂誘導部と前記第１裏面切替誘導部との交点よりも前記裏面シートの前記他の縁部に近い部位と、を連結する第２裏面切替誘導部と、を有する、包装容器。
【請求項３】
請求項２に記載の包装容器において、
前記表面シートの前記特定の縁部と前記表面引裂誘導部との交点と前記表面シートの中心とを結ぶ線分と平行な表面基準直線と、前記第２表面切替誘導部と前記特定の表面引裂誘導部との交点における当該第２表面切替誘導部の表面第２傾きと、のなす表面第２角が、前記表面基準直線と、前記第１表面切替誘導部と前記特定の表面引裂誘導部との交点における当該第１表面切替誘導部の表面第１傾きと、のなす表面第１角よりも大きく、
前記裏面シートの前記特定の縁部と前記裏面引裂誘導部との交点と前記裏面シートの中心とを結ぶ線分と平行な裏面基準直線と、前記第２裏面切替誘導部と前記特定の裏面引裂誘導部との交点における当該第２裏面切替誘導部の裏面第２傾きと、のなす裏面第２角が、前記裏面基準直線と、前記第１裏面切替誘導部と前記特定の裏面引裂誘導部との交点における当該第１裏面切替誘導部の裏面第１傾きと、のなす裏面第１角よりも大きい、包装容器。
【請求項４】
請求項１ないし３のいずれかに記載の包装容器において、
前記表面シートのうち前記複数の表面引裂誘導部が形成された表面引裂領域は、前記複数の表面引裂誘導部のうち最も前記表面シートの中心に近い位置に形成された最内表面引裂誘導部と、前記複数の表面引裂誘導部のうち前記最内表面引裂誘導部よりも前記表面シートの外側に位置する表面引裂誘導部と、の間に形成された表面阻止領域を有し、この表面阻止領域は、前記表面切替誘導部により分断されることなく前記表面シートの前記特定の縁部から前記他の縁部に至るように連続的につながる形状を有し、
前記裏面シートのうち前記複数の裏面引裂誘導部が形成された裏面引裂領域は、前記複数の裏面引裂誘導部のうち最も前記裏面シートの中心に近い位置に形成された最内裏面引裂誘導部と、前記複数の裏面引裂誘導部のうち前記最内裏面引裂誘導部よりも前記裏面シートの外側に位置する裏面引裂誘導部と、の間に形成された裏面阻止領域を有し、この裏面阻止領域は、前記裏面切替誘導部により分断されることなく前記裏面シートの前記特定の縁部から前記他の縁部に至るように連続的につながる形状を有する、包装容器。
【請求項５】
請求項１ないし４のいずれかに記載の包装容器において、
各表面引裂誘導部及び前記少なくとも１つの表面切替誘導部は、前記表面シートのうち前記特定の縁部と前記他の縁部とを結ぶ線分の垂直二等分線を対称軸として対称な形状を有し、
各裏面引裂誘導部及び前記少なくとも１つの裏面切替誘導部は、前記裏面シートのうち前記特定の縁部と前記他の縁部とを結ぶ線分の垂直二等分線を対称軸として対称な形状を有する、包装容器。
【発明の詳細な説明】
【技術分野】
【０００１】
本発明は、包装容器に関する。
【背景技術】
【０００２】
従来、食品等の内容物を収容する包装容器として、表面シートと裏面シートとが互いに対向するように接合されたものが知られている。このような包装容器には、開封時における各シートの引裂きを誘導するための引裂誘導部が形成されることが多い。
【０００３】
例えば、特許文献１には、表面シートと裏面シートとが互いに対向するように接合された包装容器において、表面シートには、それぞれが当該表面シートの左縁部から右縁部に至るとともに直線状に延びる形状を有する複数の引裂誘導部が形成されており、裏面シートには、それぞれが当該裏面シートの左縁部から右縁部に至るとともに外側（上側）に向かって凸となるように湾曲する形状を有する複数の引裂誘導部が形成されたものが開示されている。この包装容器の開封は、通常、引裂誘導部に沿って、包装容器のうち引裂誘導部よりも外側（上側）の部位である被切除部を、包装容器のうち引裂誘導部よりも内側（下側）の部位に対して手前下方に引くことにより、あるいは、奥側下方に押すことにより行われる。このようにして引裂誘導部に沿って各シートが引裂かれることにより包装容器から被切除部が切除されると、裏面シートには、表面シートの引裂誘導部よりも外側に膨出する膨出部が形成される。この膨出部は、摘み代として機能するため、包装容器への開口の形成が容易になる。
【０００４】
また、特許文献２には、表面シート及び裏面シートの双方に、それぞれが各シートの左縁部から右縁部に至るとともに直線状に延びる形状を有する複数の直線状引裂誘導部と、それぞれが直線状引裂誘導部同士を互いに連結する複数のＶ字型誘導部と、が形成された包装容器が開示されている。各Ｖ字型誘導部は、左縁部から右縁部に向かうにしたがって、次第に複数の直線状引裂誘導部のうちの中央に位置する中央誘導部に近づくように傾斜する形状に形成されている。この包装容器においては、複数の直線状引裂誘導部のうちのいずれの誘導部から各シートの引裂きが開始されたとしても、最終的には、前記中央誘導部に沿った引裂きが行われるように誘導される。例えば、複数の直線状引裂誘導部のうち最も外側に位置する最外誘導部から引裂きが開始された場合であっても、この引裂き途中でＶ字型誘導部を経由することにより、最終的には、前記中央誘導部に沿って引裂かれるように誘導される。すなわち、特許文献２に記載の包装容器では、複数の直線状引裂誘導部が形成された領域とは異なる領域で各シートの引裂きが行われることが抑制される。
【先行技術文献】
【特許文献】
【０００５】
【特許文献１】特開２０１３−７１７３３号公報
【特許文献２】特許第４７６００３０号公報
【発明の概要】
【発明が解決しようとする課題】
【０００６】
特許文献１に記載される包装容器では、表面シートが手前に位置する状態で各引裂誘導部よりも外側に位置する被切除部を各引裂誘導部よりも内側の部位に対して奥側下方に押すように引裂く、あるいは、裏面シートが手前に位置する状態で被切除部を各引裂誘導部よりも内側の部位に対して手前下方に引くように引裂いた場合、引裂不良が発生することがある。例えば、裏面シートが手前に位置する状態で被切除部を手前下方に引くように引裂く場合、被切除部における表面シートの下端部が裏面シートの膨出部の上端部に干渉するため、抵抗が生じる。このため、引裂きに大きな力が必要となり、また、その抵抗に抗して引裂くことにより、膨出部の上端部が伸びるように塑性変形し、これにより膨出部の上端部が波状になるという引裂不良が生じる。
【０００７】
一方、特許文献２に記載される包装容器では、そのような引裂不良の発生は生じにくい。例えば、表面シートが手前に位置する状態において被切除部を手前下方に引くように引裂く場合において、その引裂きが、表面シートの最外誘導部と、裏面シートの複数の直線状誘導部のうちの最外誘導部よりも内側に位置する直線状誘導部と、に沿って開始されたとしても、すなわち、被切除部における裏面シートの下端部が、表面シートのうち被切除部を除く部位の上端部に干渉するように引裂きが開始されたとしても、引裂き途中において、表面シートの引裂きが、Ｖ字型誘導部を経由することによって裏面シートにおいて引裂きが行われている直線状誘導部よりも内側に位置する直線状引裂誘導部に沿って行われるようになるため、各シート同士の干渉が回避されやすい。しかしながら、特許文献２に記載の包装容器では、直線状誘導部に沿って被切除部が切除された後に摘み代が形成されないため、包装容器への開口の形成が困難である。
【０００８】
本発明の目的は、引裂不良の発生を抑制可能でかつ開口の形成が容易な包装容器を提供することである。
【課題を解決するための手段】
【０００９】
前記課題を解決するために、本発明は、表面シートと裏面シートとが互いに対向するように接合された包装容器であって、前記表面シートには、それぞれが当該表面シートの特定の縁部から他の縁部に至るように延びるとともに互いに離間する形状を有し、かつ、当該表面シートの引裂きを誘導する複数の表面引裂誘導部が形成されており、前記裏面シートには、それぞれが当該裏面シートの特定の縁部から他の縁部に至るように延びるとともに互いに離間する形状を有し、かつ、当該裏面シートの引裂きを誘導する複数の裏面引裂誘導部が形成されており、前記表面シートと前記裏面シートとは、各表面引裂誘導部と各裏面引裂誘導部とが各シートの厚さ方向に互いに重なり合うか、あるいは、各表面引裂誘導部間の領域と各裏面引裂誘導部とが各シートの厚さ方向に互いに重なり合うように、接合されており、各表面引裂誘導部は、当該表面シートの中心を基準として当該表面シートの外側に向かって凸となるように湾曲する形状を有する表面外向き湾曲部を有し、各裏面引裂誘導部は、当該裏面シートの中心を基準として当該裏面シートの外側に向かって凸となるように湾曲する形状を有する裏面外向き湾曲部を有し、前記表面シートには、前記特定の縁部から前記他の縁部に向かうとともに前記複数の表面引裂誘導部のうち特定の表面引裂誘導部に沿った引裂きが、前記複数の表面引裂誘導部のうち前記特定の表面引裂誘導部よりも前記表面シートの中心に近い位置に形成された他の表面引裂誘導部に沿った引裂きに切り替えられるように前記特定の表面引裂誘導部と前記他の表面引裂誘導部とを連結し、かつ、当該表面シートの引裂きを誘導する少なくとも１つの表面切替誘導部が形成されており、前記裏面シートには、前記特定の縁部から前記他の縁部に向かうとともに前記複数の裏面引裂誘導部のうち特定の裏面引裂誘導部に沿った引裂きが、前記複数の裏面引裂誘導部のうち前記特定の裏面引裂誘導部よりも前記裏面シートの中心に近い位置に形成された他の裏面引裂誘導部に沿った引裂きに切り替えられるように前記特定の裏面引裂誘導部と前記他の裏面引裂誘導部とを連結し、かつ、当該裏面シートの引裂きを誘導する少なくとも１つの裏面切替誘導部が形成されている、包装容器を提供する。
【００１０】
本包装容器では、特定の縁部から他の縁部に向かって各誘導部に沿って両シートを引裂いた際、両シートの開口部に外向きに膨出する部位が形成されるので、すなわち、開口部に摘み代が形成されるので、開口の形成が容易になり、さらに、各シートの厚さ方向に互いにずれた位置に形成された表面引裂誘導部及び裏面引裂誘導部に沿って各シートの引裂きが開始された場合であっても、引裂不良の発生が抑制される。
【００１１】
例えば、表面シートが手前に位置し、かつ、包装容器のうち各引裂誘導部よりも外側の部位を、包装容器のうち各引裂誘導部よりも内側（各シートの中心に近い側）の部位に対して手前下方に引くように各シートを引裂く場合において、特定の裏面引裂誘導部とこれよりも外側に形成された特定の表面引裂誘導部とに沿って各シートの引裂きが開始されたとき、引裂き当初は、裏面シートのうち各裏面引裂誘導部よりも外側の部位の下端部が、表面シートのうち各表面引裂誘導部よりも内側の部位の上端部と干渉するものの、引裂き途中において、表面シートにおいては、表面切替誘導部を経由することにより、前記特定の表面引裂誘導部に沿った引裂きから当該特定の表面引裂誘導部よりも内側に形成された他の表面引裂誘導部に沿った引裂きに切り替えられる。ここで、両シートは、各表面引裂誘導部と各裏面引裂誘導部とが各シートの厚さ方向に互いに重なり合うか、あるいは、各表面引裂誘導部間の領域と各裏面引裂誘導部とが各シートの厚さ方向に互いに重なり合うように、接合されているので、前記他の表面引裂誘導部は、前記特定の裏面引裂誘導部よりも内側に位置している。このため、表面切替誘導部を経由した後の引裂き中における両シートの干渉が回避される。このことは、表面シートが手前に位置し、かつ、包装容器のうち各引裂誘導部よりも外側の部位を、包装容器のうち各引裂誘導部よりも内側（各シートの中心に近い側）の部位に対して奥側下方に押すように各シートを引裂く場合において、特定の表面引裂誘導部とこれよりも外側に形成された特定の裏面引裂誘導部とに沿って各シートの引裂きが開始されたときについても同様である。よって、引裂不良の発生が抑制される。
【００１２】
この場合において、前記少なくとも１つの表面切替誘導部は、前記特定の表面引裂誘導部と前記他の表面引裂誘導部とを連結する第１表面切替誘導部と、前記特定の表面引裂誘導部のうち当該特定の表面引裂誘導部と前記第１表面切替誘導部との交点よりも前記表面シートの前記他の縁部に近い部位と、前記他の表面引裂誘導部のうち当該他の表面引裂誘導部と前記第１表面切替誘導部との交点よりも前記表面シートの前記他の縁部に近い部位と、を連結する第２表面切替誘導部と、を有し、前記少なくとも１つの裏面切替誘導部は、前記特定の裏面引裂誘導部と前記他の裏面引裂誘導部とを連結する第１裏面切替誘導部と、前記特定の裏面引裂誘導部のうち当該特定の裏面引裂誘導部と前記第１裏面切替誘導部との交点よりも前記裏面シートの前記他の縁部に近い部位と、前記他の裏面引裂誘導部のうち当該他の裏面引裂誘導部と前記第１裏面切替誘導部との交点よりも前記裏面シートの前記他の縁部に近い部位と、を連結する第２裏面切替誘導部と、を有することが好ましい。
【００１３】
このようにすれば、特定の縁部から他の縁部に向けて特定の表面引裂誘導部及び特定の裏面引裂誘導部に沿って各シートが引裂かれる際、より確実に引裂不良の発生が抑制される。具体的に、特定の表面引裂誘導部に２つの表面切替誘導部が連結されており、同様に、特定の裏面引裂誘導部に２つの裏面切替誘導部が連結されているため、単一の表面切替誘導部及び単一の裏面切替誘導部が形成されている場合に比べ、引裂き途中において、特定の表面引裂誘導部から他の表面引裂誘導部への切り替えがより確実になされる。
【００１４】
具体的に、前記表面シートの前記特定の縁部と前記表面引裂誘導部との交点と前記表面シートの中心とを結ぶ線分と平行な表面基準直線と、前記第２表面切替誘導部と前記特定の表面引裂誘導部との交点における当該第２表面切替誘導部の表面第２傾きと、のなす表面第２角が、前記表面基準直線と、前記第１表面切替誘導部と前記特定の表面引裂誘導部との交点における当該第１表面切替誘導部の表面第１傾きと、のなす表面第１角よりも大きく、前記裏面シートの前記特定の縁部と前記裏面引裂誘導部との交点と前記裏面シートの中心とを結ぶ線分と平行な裏面基準直線と、前記第２裏面切替誘導部と前記特定の裏面引裂誘導部との交点における当該第２裏面切替誘導部の裏面第２傾きと、のなす裏面第２角が、前記裏面基準直線と、前記第１裏面切替誘導部と前記特定の裏面引裂誘導部との交点における当該第１裏面切替誘導部の裏面第１傾きと、のなす裏面第１角よりも大きいことが好ましい。
【００１５】
このようにすれば、各シートの特定の縁部から当該シートの中心に向かう成分を含む引裂力で各引裂誘導部に沿って各シートを引裂く際の引裂不良の発生が一層確実に抑制される。通常、各シートを引裂く際、特定の縁部から他の縁部に至る間、ほぼ同じ向きでかつほぼ同じ大きさの引裂力で引裂かれるため、前記表面第２角が前記表面第１角よりも大きいことにより、前記引裂力のうち表面第２傾きと直交する方向の成分、すなわち、特定の表面引裂誘導部から離間する（他の表面引裂誘導部に向かう）方向の成分が、前記引裂力のうち表面第１傾きと直交する方向の成分よりも大きくなる。このため、第１表面切替誘導部を経由した切り替えがなされなかった場合であっても、その後、第２表面切替誘導部を経由した切り替えがなされやすくなる。以上のことは、裏面側についても同様である。よって、より確実に引裂不良の発生が抑制される。
【００１６】
また、本発明において、前記表面シートのうち前記複数の表面引裂誘導部が形成された表面引裂領域は、前記複数の表面引裂誘導部のうち最も前記表面シートの中心に近い位置に形成された最内表面引裂誘導部と、前記複数の表面引裂誘導部のうち前記最内表面引裂誘導部よりも前記表面シートの外側に位置する表面引裂誘導部と、の間に形成された表面阻止領域を有し、この表面阻止領域は、前記表面切替誘導部により分断されることなく前記表面シートの前記特定の縁部から前記他の縁部に至るように連続的につながる形状を有し、前記裏面シートのうち前記複数の裏面引裂誘導部が形成された裏面引裂領域は、前記複数の裏面引裂誘導部のうち最も前記裏面シートの中心に近い位置に形成された最内裏面引裂誘導部と、前記複数の裏面引裂誘導部のうち前記最内裏面引裂誘導部よりも前記裏面シートの外側に位置する裏面引裂誘導部と、の間に形成された裏面阻止領域を有し、この裏面阻止領域は、前記裏面切替誘導部により分断されることなく前記裏面シートの前記特定の縁部から前記他の縁部に至るように連続的につながる形状を有することが好ましい。
【００１７】
このようにすれば、表面シートのうち最内表面引裂誘導部よりも内側の領域及び裏面シートのうち最内裏面引裂誘導部よりも内側の領域で各シートが引き裂かれることが抑制される。具体的に、表面引裂領域が表面阻止領域を有し、裏面引裂領域が裏面阻止領域を有するので、仮に、引裂力が大きく、最内表面引裂誘導部及び最内裏面引裂誘導部よりも外側に位置する引裂誘導部から各阻止領域を横断するように内側に向かって各シートが引裂かれたとしても、その後は、最内表面引裂誘導部及び最内裏面引裂誘導部に沿って引裂かれるように誘導される。よって、最内表面引裂誘導部よりも内側の領域及び最内裏面引裂誘導部よりも内側の領域（引裂きを予定していない領域）での各シートの引裂きが有効に抑制される。
【００１８】
また、本発明において、各表面引裂誘導部及び前記少なくとも１つの表面切替誘導部は、前記表面シートのうち前記特定の縁部と前記他の縁部とを結ぶ線分の垂直二等分線を対称軸として対称な形状を有し、各裏面引裂誘導部及び前記少なくとも１つの裏面切替誘導部は、前記裏面シートのうち前記特定の縁部と前記他の縁部とを結ぶ線分の垂直二等分線を対称軸として対称な形状を有することが好ましい。
【００１９】
このようにすれば、特定の縁部から他の縁部に向かって各シートの引裂きを開始する場合及び他の縁部から特定の縁部に向かって各シートの引裂きを開始する場合の双方において、有効に引裂不良の発生が抑制される。
【発明の効果】
【００２０】
以上のように、本発明によれば、引裂不良の発生を抑制可能でかつ開口の形成が容易な包装容器を提供することができる。
【図面の簡単な説明】
【００２１】
【図１】本発明の一実施形態の包装容器の正面図である。
【図２】図１に示す包装容器の各表面引裂誘導部の部分拡大図である。
【図３】引裂力と各表面切替誘導部の形状との関係を示す図である。
【図４】各シートが引裂かれる部位の推移の例を示す図である。
【発明を実施するための形態】
【００２２】
本発明の一実施形態の包装容器について、図１〜図４を参照しながら説明する。なお、以下の説明における上下及び左右の各方向は、図１に基づいている。
【００２３】
図１に示されるように、本実施形態の包装容器は、表面シート１０と、裏面シート（図示略）と、を備えている。両シートは、互いに対向するように接合されている。具体的に、図１に示されるように、各シートは矩形状に形成されており、左縁部１１同士と、右縁部１２同士と、上縁部１３同士と、下縁部１４同士と、が互いに接合されている。各シートは、基材フィルム層と、バリア層と、シーラント層と、がこの順に積層、接着された積層フィルムで構成されている。
【００２４】
表面シート１０には、複数の表面引裂誘導部２０と、複数の表面切替誘導部３０と、が形成されている。同様に、裏面シートには、複数の裏面引裂誘導部と、複数の裏面切替誘導部と、が形成されている。本実施形態では、各シートは、両者の接合面を対称面として面対称な形状に形成されているため、以下では、表面シート１０についてのみ説明し、裏面シートについての説明を省略する。なお、表面シート１０のうち複数の表面引裂誘導線２０が形成された表面引裂領域２０Ｓ及び裏面シートのうち複数の裏面引裂誘導線が形成された裏面引裂領域には、それぞれ表示部が形成されている。
【００２５】
各表面引裂誘導部２０は、表面シート１０の引裂きを誘導する部位である。この表面引裂誘導部２０は、レーザー光の照射（いわゆるハーフカット加工）により形成されている。各表面引裂誘導部２０は、表面シート１０の左縁部１１から右縁部１２に至るように延びるとともに互いに上下方向に離間する形状を有する。ここで「至る」とは、縁部に到達することを意味し、横断することに限られない。本実施形態では、各表面引裂誘導部２０は、表面シート１０の左縁部１１と右縁部１２とを結ぶ線分の垂直二等分線Ｌを対称軸として対称な形状に設定されている。さらに、包装容器全体が、前記垂直二等分線Ｌを対称軸として対称な形状に設定されている。以下、各表面引裂誘導部２０のうち前記垂直二等分線Ｌよりも左側の部分について説明する。
【００２６】
各表面引裂誘導部２０は、表面直線部２６と、表面内向き湾曲部２７と、表面外向き湾曲部２８とを有している。
【００２７】
表面直線部２６は、左縁部１１から右縁部１２に向かって前記垂直二等分線Ｌと直交する方向に沿って延びる形状を有する。
【００２８】
表面内向き湾曲部２７は、表面直線部２６の右側の端部から前記垂直二等分線Ｌに向かって延びるとともに、表面シート１０の中心Ｏ（内側）に向かって凸となるように湾曲する形状を有する。具体的に、表面内向き湾曲部２７の曲率半径は、５０ｍｍに設定されている。なお、前記中心Ｏは、前記垂直二等分線Ｌ上でかつ表面シート１０の上端と表面シート１０の下端との中央に位置する点である。
【００２９】
表面外向き湾曲２８は、表面内向き湾曲部２７の右側の端部から前記垂直二等分線Ｌに至るように延びるとともに、前記中心Ｏを基準として表面シート１０の外側（上側）に向かって凸となるように湾曲する形状を有する。具体的に、表面外向き湾曲部２８の曲率半径は、５０ｍｍに設定されている。
【００３０】
図２に示されるように、本実施形態では、複数の表面引裂誘導部２０は、５つ（５本）の表面引裂誘導部２０、すなわち、最外表面引裂誘導部２１と、第２表面引裂誘導部２２と、中央表面引裂誘導部２３と、第４表面引裂誘導部２４と、最内表面引裂誘導部２５と、を有している。ただし、表面引裂誘導部の数は、これに限られない。
【００３１】
最外表面引裂誘導部２１、第２表面引裂誘導部２２、中央表面引裂誘導部２３、第４表面引裂誘導部２４及び最内表面引裂誘導部２５は、表面シート１０の外側（上縁部１３側）から前記中心Ｏに向かってこの順に等間隔に並ぶように配置されている。本実施形態では、最外表面引裂誘導部２１から最内表面引裂誘導部２５までの寸法は、２．４ｍｍに設定されている。つまり、各表面引裂誘導部２１〜２５間の寸法は、０．６ｍｍに設定されている。また、中央表面引裂誘導部２３における表面直線部２６と表面外向き湾曲部２８の頂点（中央表面引裂誘導部２３と垂直二等分線Ｌとが交差する点）との間の寸法Ｈ１は、１０ｍｍに設定されている。
【００３２】
本実施形態では、包装容器には、ノッチ１５と、ファスナー１６と、が形成されている。ノッチ１５は、各表面引裂誘導部２０と左縁部１１とが交わる領域及び各表面引裂誘導部２０と右縁部１２とが交わる領域に形成されている。各ノッチ１５は、その頂部が中央表面引裂誘導部２３と一致する位置に形成されている。ただし、ノッチ１５の頂部は、最外表面引裂誘導部２１と第２表面引裂誘導部２２との間に設定されることがより好ましい。図１に示されるように、ファスナー１６は、各表面引裂誘導部２０と前記中心Ｏとの間に形成されている。中央表面引裂誘導部２３からファスナー１６の上端までの寸法Ｈ２は、９ｍｍに設定されている。
【００３３】
各表面切替誘導部３０は、表面シート１０の引裂きを誘導する部位である。この表面切替誘導部３０も、レーザー光の照射（いわゆるハーフカット加工）により形成されている。各表面切替誘導部３０は、左縁部１１から右縁部１２に向かうとともに複数の表面引裂誘導部２０のうち特定の表面引裂誘導部２０に沿った引裂きが、複数の表面引裂誘導部２０のうち前記特定の表面引裂誘導部２０よりも前記中心Ｏに近い位置に形成された他の表面引裂誘導部２０に沿った引裂きに切り替えられるように、前記特定の表面引裂誘導部２０と前記他の表面引裂誘導部２０とを連結している。具体的に、各表面切替誘導部３０は、左縁部１１から前記垂直二等分線Ｌに近づくにしたがって次第に前記特定の表面引裂誘導部２０から前記他の表面引裂誘導部２０に近づく形状に形成されている。
【００３４】
図２に示されるように、本実施形態では、複数の表面切替誘導部３０は、５つ（５本）の表面切替誘導部３０、すなわち、上段表面切替誘導部３１と、第１中段表面切替誘導部３２と、第２中段表面切替誘導部３３と、第１下段表面切替誘導部３４と、第２下段表面切替誘導部３５と、を有している。ただし、表面切替誘導部の数は、これに限られない。
【００３５】
上段表面切替誘導部３１は、最外表面引裂誘導部２１と第２表面引裂誘導部２２とを連結している。上段表面切替誘導部３１と最外表面引裂誘導部２１との交点は、最外表面引裂誘導部２１のうち表面直線部２６上に位置するように設定されている。上段表面切替誘導部３１と第２表面引裂誘導部２２との交点は、第２表面引裂誘導部２２のうち表面内向き湾曲部２７上に位置するように設定されている。
【００３６】
第１中段表面切替誘導部３２は、第２表面引裂誘導部２２と中央表面引裂誘導部２３とを連結している。第１中段表面切替誘導部３２と第２表面引裂誘導部２２との交点は、第２表面引裂誘導部２２のうち表面直線部２６上に位置するように設定されている。第１中段表面切替誘導部３２と中央表面引裂誘導部２３との交点は、中央表面引裂誘導部２３のうち表面内向き湾曲部２７上に位置するように設定されている。第１中段表面切替誘導部３２の曲率半径は、２０ｍｍに設定されている。
【００３７】
第２中段表面切替誘導部３３は、第２表面引裂誘導部２２のうち当該第２表面引裂誘導部２２と第１中段表面切替誘導部３２との交点よりも右縁部１２に近い部位と、中央表面引裂誘導部２３のうち当該中央表面引裂誘導部２３と第１中段表面切替誘導部３２との交点よりも右縁部１２に近い部位と、を連結している。以下、第１中段表面切替誘導部３２と第２中段表面切替誘導部３３との関係においては、第１中段表面切替誘導部３２を「第１表面切替誘導部」と称し、第２中段表面切替誘導部３３を「第２表面切替誘導部」と称する。第２中段表面切替誘導部３３と第２表面引裂誘導部２２との交点は、第２表面引裂誘導部２２のうち表面内向き湾曲部２７上に位置するように設定されている。第２中段表面切替誘導部３３と中央表面引裂誘導部２３との交点は、中央表面引裂誘導部２３のうち表面内向き湾曲部２７上に位置するように設定されている。
【００３８】
第１下段表面切替誘導部３４は、中央表面引裂誘導部２３と第４表面引裂誘導部２４とを連結している。第１下段表面切替誘導部３４と中央表面引裂誘導部２３との交点は、中央表面引裂誘導部２３のうち表面直線部２６上に位置するように設定されている。第１下段表面切替誘導部３４と第４表面引裂誘導部２４との交点は、第４表面引裂誘導部２４のうち表面内向き湾曲部２７上に位置するように設定されている。第１下段表面切替誘導部３４の曲率半径は、２０ｍｍに設定されている。
【００３９】
第２下段表面切替誘導部３５は、中央表面引裂誘導部２３のうち当該中央表面引裂誘導部２３と第１下段表面切替誘導部３４との交点よりも右縁部１２に近い部位と、第４表面引裂誘導部２４のうち当該第４表面引裂誘導部２４と第１下段表面切替誘導部３４との交点よりも右縁部１２に近い部位と、を連結している。以下、第１下段表面切替誘導部３４と第２下段表面切替誘導部３５との関係においては、第１下段表面切替誘導部３４を「第１表面切替誘導部」と称し、第２下段表面切替誘導部３５を「第２表面切替誘導部」と称する。第２下段表面切替誘導部３５と中央表面引裂誘導部２３との交点は、中央表面引裂誘導部２３のうち表面内向き湾曲部２７上に位置するように設定されている。第２下段表面切替誘導部３５と第４表面引裂誘導部２４との交点は、第４表面引裂誘導部２４のうち表面外向き湾曲部２８上に位置するように設定されている。
【００４０】
図２に示されるように、上段表面切替誘導部３１、第２中段表面切替誘導部３３及び第２下段表面切替誘導部３５は、連続的につながる形状を有している。これら上段表面切替誘導部３１、第２中段表面切替誘導部３３及び第２下段表面切替誘導部３５の曲率半径は、５５ｍｍに設定されている。
【００４１】
本実施形態では、表面シート１０のうち複数の表面引裂誘導部２０が形成された表面引裂領域２０Ｓは、最内表面引裂誘導部２５と、複数の表面引裂誘導部２０のうち最内表面引裂誘導部２５よりも表面シート１０の外側に位置する表面引裂誘導部２０と、の間に形成された表面阻止領域２２Ｓを有している。表面阻止領域２２Ｓは、各表面切替誘導部３０により分断されることなく左縁部１１から右縁部１２に至るように連続的につながる形状を有している。すなわち、本実施形態では、表面阻止領域２２Ｓは、表面引裂領域２０Ｓのうち第４表面引裂誘導部２４と最内表面引裂誘導部２５との間の領域に該当する。
【００４２】
次に、図３を参照しながら、各シートを引裂くときの引裂力Ｆと、前記第１表面切替誘導部（第１中段表面切替誘導部３２、第１下段表面切替誘導部３４）及び前記第２表面切替誘導部（第２中段表面切替誘導部３３、第２下段表面切替誘導部３５）の形状（角度）と、の関係について説明する。ここで、左縁部１１から右縁部１２に向かって各シートが引裂かれる際、通常、左縁部１１から右縁部１２に至る間、ほぼ同じ向きでかつほぼ同じ大きさの引裂力Ｆで各シートが引き裂かれる。つまり、引裂力Ｆの向き及び大きさは、各シートが引裂かれている間、ほぼ一定で推移することが多い。
【００４３】
図３に示されるように、各シートの引裂力Ｆの向きと、第２中段表面切替誘導部（第２表面切替誘導部）３３と第２表面引裂誘導部２２との交点における当該第２中段表面切替誘導部３３の表面第２傾きと、のなす角θ３３は、前記引裂力Ｆの向きと、第１中段表面切替誘導部（第１表面切替誘導部）３２と第２表面引裂誘導部２２との交点における当該第１中段表面切替誘導部３２の表面第１傾きと、のなす角θ３２よりも大きい。このため、前記引裂力Ｆのうち表面第２傾きと直交する方向の成分Ｆ３３、すなわち、第２表面引裂誘導部２２から離間する（中央表面引裂誘導部２３に向かう）方向の成分は、前記引裂力Ｆのうち表面第１傾きと直交する方向の成分Ｆ３２よりも大きくなる。同様に、前記引裂力Ｆの向きと、第２下段表面切替誘導部（第２表面切替誘導部）３５と中央表面引裂誘導部２３との交点における当該第２下段表面切替誘導部３５の表面第２傾きと、のなす角θ３５は、前記引裂力Ｆの向きと、第１下段表面切替誘導部（第１表面切替誘導部）３４と中央表面引裂誘導部２３との交点における当該第１下段表面切替誘導部３４の表面第１傾きと、のなす角θ３４よりも大きい。このため、前記引裂力Ｆのうち表面第２傾きと直交する方向の成分Ｆ３５、すなわち、中央表面引裂誘導部２３から離間する（第４表面引裂誘導部２４に向かう）方向の成分は、前記引裂力Ｆのうち表面第１傾きと直交する方向の成分Ｆ３４よりも大きくなる。
【００４４】
ここで、前記引裂力Ｆは、左縁部１１と表面引裂誘導部２０との交点と前記中心Ｏとを結ぶ表面基準直線Ｓ（図１を参照）と平行な成分を含む。すなわち、本実施形態では、前記表面基準直線Ｓと前記表面第２傾きとのなす表面第２角が、前記表面基準直線Ｓと前記表面第２傾きとのなす表面第１角よりも大きくなるように、各表面引裂誘導部２０及び各表面切替誘導部３０の形状が設定されている。
【００４５】
続いて、本包装容器の製造方法を説明する。この製造方法は、シート準備工程と、表面誘導部形成工程と、裏面誘導部形成工程と、シート接合工程と、を含む。
【００４６】
シート準備工程は、表面シート１０の上端と裏面シートの上端とが互いに接続されたシート（表面シート１０の上端と裏面シートの上端との境界を挟むように表面シート１０と裏面シートとが互いに接続されたシート）を準備する工程である。
【００４７】
表面誘導部形成工程は、表面シート１０に、各表面引裂誘導部２０及び各表面切替誘導部３０をレーザーにより形成する工程である。
【００４８】
裏面誘導部形成工程は、裏面シートに、各裏面引裂誘導部及び各裏面切替誘導部をレーザーにより形成する工程である。この裏面誘導部形成工程は、表面誘導部形成工程の後に行われてもよく、また、表面誘導部形成工程と同時に行われてもよい。
【００４９】
シート接合工程は、表面シート１０の上端と裏面シートの上端との境界に沿って前記シートを折り畳んだ後に、すなわち、左縁部１１から右縁部１２に至る全域にわたって各表面引裂誘導部２０と各裏面引裂誘導部とが各シートの厚さ方向に互いに重なり合うように前記シートを折り畳んだ後に、左縁部同士と、右縁部同士と、上縁部同士と、下縁部同士と、を加熱することによって接合する工程である。この工程では、前記シートを折り畳む装置の公差に起因して、左縁部１１から右縁部１２に至る全域にわたって、各表面引裂誘導部２０間の領域と各裏面引裂誘導部とが各シートの厚さ方向に互いに重なり合うように前記シートが折り畳まれる場合がある。
【００５０】
次に、本包装容器を開封する工程について説明する。以下では、表面シート１０が手前に位置し、かつ、包装容器のうち各表面引裂誘導部２０及び各裏面引裂誘導部よりも外側の部位（以下、「被切除部」という。）を、包装容器のうち各表面引裂誘導部２０及び各裏面引裂誘導部よりも内側（各シートの中心に近い側）の部位（以下、「本体部」という。）に対して手前下方に引くように各シートを引裂く場合を例に説明する。
【００５１】
例えば、左手で本体部を把持し、右手で被切除部を摘みながら当該被切除部を手前下方に引くように前記引裂力Ｆを加える。そうすると、ノッチ１５を起点として、左縁部１１から右縁部１２に向かって各誘導部に沿って両シートが引裂かれ（包装容器から被切除部が切除され）、これにより、包装容器に開口部が形成される。この開口部（本体部の上端部）は、外向きに膨出する形状に形成されるので、すなわち、開口部に摘み代が形成されるので、開口の形成が容易になる。
【００５２】
さらに、両シートを引裂くとき、各シートの厚さ方向に互いにずれた位置に形成された表面引裂誘導部２０及び裏面引裂誘導部に沿って各シートの引裂きが開始された場合であっても、引裂不良の発生が抑制される。この点について、図４で示される例を参照しながら説明する。図４は、各表面引裂誘導部２０間の領域と各裏面引裂誘導部とが各シートの厚さ方向に互いに重なり合い、かつ、各表面引裂誘導部２０が各裏面引裂誘導部よりも外側に位置するように両シートが接合された状態の拡大図である。図４に示されるように、各シートの厚さ方向に互いにずれた位置に形成された第２表面引裂誘導部２２及び第２裏面引裂誘導部２２′に沿って各シートの引裂きが開始されたとき、引裂き当初は、裏面シートのうち第２裏面引裂誘導部２２′よりも外側の部位の下端部が、表面シート１０のうち第２表面引裂誘導部２２よりも内側の部位の上端部と干渉するものの、引裂き途中において、表面シート１０においては、第１中段表面切替誘導部３２を経由することにより、第２表面引裂誘導部２２に沿った引裂きから当該第２表面引裂誘導部２２よりも内側に形成された中央表面引裂誘導部２３に沿った引裂きに切り替えられる。このため、第１中段表面切替誘導部３２を経由した後の引裂き中における両シートの干渉が回避される。このことは、最外表面引裂誘導部２１と最外裏面引裂誘導部とに沿って、又は、中央表面引裂誘導部２３と中央裏面引裂誘導部２３′とに沿って各シートの引裂きが開始された場合についても同様である。また、以上のことは、表面シート１０が手前に位置し、かつ、被切除部を本体部に対して奥側下方に押すように各シートを引裂く場合において、特定の表面引裂誘導部２０とこれよりも外側に形成された特定の裏面引裂誘導部とに沿って（例えば、中央表面引裂誘導部２３と第２裏面引裂誘導部２２′とに沿って）各シートの引裂きが開始されたときについても同様である。よって、引裂不良の発生が抑制される。
【００５３】
また、本実施形態では、第２表面引裂誘導部２２のうち当該第２表面引裂誘導部２２と第１中段表面切替誘導部３２との連結部よりも右側の部位には第２中段表面切替誘導部３３が連結されているので、より確実に引裂不良の発生が抑制される。具体的に、第２表面引裂誘導部２２に対して単一の表面切替誘導部のみが形成されている場合に比べ、引裂き途中において、第２表面引裂誘導部２２から中央表面引裂誘導部２３への切り替えがより確実になされる。
【００５４】
さらに、本実施形態では、前記表面第２角が前記表面第１角よりも大きいことにより、前記引裂力Ｆのうち表面第２傾きと直交する方向の成分Ｆ３３、すなわち、第２表面引裂誘導部２２から離間する（中央表面引裂誘導部２３に向かう）方向の成分が、前記引裂力Ｆのうち表面第１傾きと直交する方向の成分Ｆ３２よりも大きくなる。このため、第２表面引裂誘導部２２に沿った引裂き中において第１中段表面切替誘導部３２を経由した切り替えがなされなかった場合であっても、その後、第２中段表面切替誘導部３３を経由した切り替えがなされやすくなる。以上のことは、裏面側についても同様である。よって、より確実に引裂不良の発生が抑制される。
【００５５】
また、本実施形態では、表面引裂領域２０Ｓが表面阻止領域２２Ｓを有し、裏面引裂領域が裏面阻止領域を有するので、表面シート１０のうち最内表面引裂誘導部２５よりも内側の領域及び裏面シートのうち最内裏面引裂誘導部よりも内側の領域で各シートが引き裂かれることが抑制される。仮に、引裂力Ｆが大きく、最内表面引裂誘導部２５及び最内裏面引裂誘導部よりも外側に位置する引裂誘導部から各阻止領域を横断するように内側に向かって各シートが引裂かれたとしても、その後は、最内表面引裂誘導部２５及び最内裏面引裂誘導部に沿って各シートが引裂かれるように誘導される。よって、最内表面引裂誘導部２５よりも内側の領域及び最内裏面引裂誘導部よりも内側の領域（引裂きを予定していない領域）での各シートの引裂きが有効に抑制される。
【００５６】
加えて、本実施形態では、表面シート１０に形成されている各誘導部及び裏面シートに形成されている各誘導部が、それぞれ前記垂直二等分線Ｌを対称軸として対称な形状を有しているので、左縁部１１から右縁部１２に向かって各シートの引裂きを開始する場合及び右縁部１２から左縁部１１に向かって各シートの引裂きを開始する場合の双方において、有効に引裂不良の発生が抑制される。
【００５７】
なお、今回開示された実施形態は、すべての点で例示であって制限的なものではないと考えられるべきである。本発明の範囲は、上記した実施形態の説明ではなく、特許請求の範囲によって示され、さらに特許請求の範囲と均等の意味および範囲内でのすべての変更が含まれる。
【００５８】
例えば、各表面引裂誘導部２０は、左縁部１１から右縁部１２に至るように延びる形状に限られず、左縁部１１から上縁部１３に至るように延びる形状を有するものであってもよい。
【００５９】
また、複数の表面引裂誘導部２０の数は、２以上１５以下に設定されることが可能である。その数が２の場合、表面阻止領域２２Ｓは省略される。
【００６０】
また、表面内向き湾曲部２７は、省略されてもよい。つまり、表面直線部２６と表面外向き湾曲部２８とが直接連結されてもよい。あるいは、表面直線部２６及び表面内向き湾曲部２７がともに省略されてもよい。つまり、各表面引裂誘導線２０が、左縁部１１から前記垂直二等分線Ｌに向かうにしたがって次第に外側に向かいかつ外側に凸となるように湾曲する形状であってもよい。このことは、各裏面引裂誘導線についても同様である。
【００６１】
また、本包装容器は、いわゆるスタンディングパウチであってもよい。すなわち、表面シート１０及び裏面シートのそれぞれの底部に、底面シートが接合されたものであってもよい。
【００６２】
また、各誘導部は、レーザー光の照射ではなく、刃により形成されてもよい。また、各誘導部は、ミシン目に形成されてもよい。
【符号の説明】
【００６３】
１０    表面シート
１１    左縁部
１２    右縁部
１３    上縁部
１４    下縁部
２０    表面引裂誘導部
２０Ｓ  表面引裂領域
２２Ｓ  表面阻止領域
２１    最外表面引裂誘導部
２２    第２表面引裂誘導部
２３    中央表面引裂誘導部
２４    第４表面引裂誘導部
２５    最内表面引裂誘導部
２６    表面直線部
２７    表面内向き湾曲部
２８    表面外向き湾曲部
３０    表面切替誘導部
３１    上段表面切替誘導部
３２    第１中段表面切替誘導部（第１表面切替誘導部）
３３    第２中段表面切替誘導部（第２表面切替誘導部）
３４    第１下段表面切替誘導部（第１表面切替誘導部）
３５    第２下段表面切替誘導部（第２表面切替誘導部）
Ｆ    引裂力
Ｓ    表面基準直線
【図１】
0006671893.tif 000002
【図２】
0006671893.tif 000003
【図３】
0006671893.tif 000004
【図４】
0006671893.tif 000005